(57)【要約】【課題】  住人が玄関の扉を遠隔操作にて解錠した際に、住宅を訪れた外来者全員が住宅内に入ってから玄関の扉を施錠することができるようにする。【解決手段】  住宅に訪れた外来者の人数を操作装置２０にて入力すると、施錠装置１５が玄関の扉を解錠するとともに、開閉検出装置１６が玄関の扉の開閉状態を検出する。また、人数検出装置４０が玄関から住宅内に入った人の数を検出する。入力した人数と検出した人の数とが一致し、かつ玄関の扉が閉まっている状態である場合に、施錠装置１５が玄関の扉を施錠する。これにより、住人が確認した外来者の人数と玄関から住宅内に入った人の数とが一致するまで玄関の扉が解錠されたままとなり、住宅を訪れた外来者が複数人であっても、外来者全員が住宅内に入り玄関の扉を閉じるまで玄関の扉が施錠されなくなるので、住宅内に入ることができない外来者が存在しなくなる。【選択図】        図１
2011052390.tif 000002
【特許請求の範囲】
【請求項１】
住宅の玄関の扉に設置され、前記玄関の扉に対して施解錠する施錠装置と、
前記玄関の扉を解錠させるために操作されるものであり、前記住宅を訪れた外来者の人数を示す外来者人数情報を入力する入力部を備えた操作装置と、
前記玄関付近に設置され、前記玄関から前記住宅内に入った人の数を検出し、検出した人の数を在室人数情報として出力する人数検出装置と、
前記玄関の扉の開閉状態を検出し、検出した状態を状態情報として出力する開閉検出装置と、
前記人数検出装置から出力された在室人数情報を入力し、前記開閉検出装置から出力された状態情報を入力して、前記操作装置の入力部にて前記外来者人数情報が入力された場合に、前記施錠装置を動作させて前記玄関の扉を解錠するとともに、前記操作装置の入力部にて入力された前記外来者人数情報に対応する人数と前記在室人数情報に対応する人の数とが一致し、かつ前記状態情報に対応する前記玄関の扉の開閉状態が閉まっている状態を示すものである場合に、前記施錠装置を動作させて前記玄関の扉を施錠する制御装置と、
を備えたことを特徴とする住宅システム。
【発明の詳細な説明】
【技術分野】
【０００１】
本発明は、住宅システムに関し、特に住宅の玄関の扉を施錠したり解錠したりするための施錠装置を備えた住宅システムに関する。
【背景技術】
【０００２】
従来、住宅の玄関の扉には、玄関の扉を施錠したり解錠したりするための施錠装置が設けられている。また、住宅のセキュリティの向上を図るために、玄関の扉は、住人が住宅内に居ても施錠されていることが多い。玄関の扉が施錠されている状態で、宅配業者や訪問客などの外来者が住宅を訪れて呼び鈴などを操作した場合に、住人は玄関に向かい、施錠装置を操作して玄関の扉を解錠する。これにより、住宅を訪れた外来者は、玄関の扉を開けて住宅内に入ることができ、住宅内に居る住人と対面して荷物を手渡したり、住人に会ったりすることができる。
【０００３】
ところで、体が不自由であることなどを理由に玄関まで行くことができない住人は、外来者が住宅を訪れて呼び鈴などを操作しても、玄関に行くことができないため、施錠装置を操作して玄関の扉を解錠することができなかった。そのため、住人が自身の居る場所（例えば、寝室など）から玄関の扉に設置されている施錠装置を遠隔操作して解錠する技術が望まれていた。
【０００４】
このように、玄関の扉に設置されている施錠装置を遠隔操作により解錠する技術として、特許文献１に記載の技術などが知られている。この特許文献１に記載の建物用ドア錠の遠隔操作装置は、住人が携行する携帯機および建物のドアに配設されるとともに携帯機との間で無線通信を通じてドア錠の施解錠を行う施解錠装置を備えている。そして、住人が携帯機にてドア錠の解錠操作を行うと、ドア錠を解錠するための解錠操作信号が携帯機から出力される。施解錠装置が携帯機から出力された解錠操作信号を受信すると、施解錠装置はドア錠の解錠を行うようにしている。これにより、住人がドア付近に設置されているドアホンなどからの呼び出しに対して応答し、建物を訪れた外来者を確認してドア錠を解錠しても良いと判断した場合、住人は、自身の居る場所からドア錠を遠隔操作して解錠することができる。また、住人が携帯機にてドア錠の施錠操作を行うと、ドア錠を施錠するための施錠操作信号が携帯機から出力される。施解錠装置が携帯機から出力された施錠操作信号を受信すると、施解錠装置はドア錠の施錠を行うようにしている。これにより、住人は、自身の居る場所からドア錠を遠隔操作して施錠することができる。
【０００５】
また、特許文献１に記載の建物用ドア錠の遠隔操作装置は、前述の遠隔操作によるドア錠を施解錠するだけでなく、ドア付近に設けられた所定領域に人が居るか否かによりドア錠を施解錠するようにしている。すなわち、特許文献１に記載の建物用ドア錠の遠隔操作装置の施解錠装置は、人を検出するための赤外線センサを備え、携帯機を携行している住人がドア周辺の所定領域（以下、所定領域Ａとする）内に移動すると、その携帯機と通信を行う。
【０００６】
携帯機と施解錠装置との間で通信が行われている際に、携帯機を携行している住人が所定領域Ａよりも狭い所定領域（以下、所定領域Ｂとする）内に移動すると、赤外線センサが人を検出し、施解錠装置はドア錠の解錠を行う。また、ドア錠の解錠を行った後に、携帯機を携行している住人が所定領域Ｂ外へ移動すると、赤外線センサが人を検出しなくなり、施解錠装置はドア錠の施錠を行う。これにより、住人は、施解錠の操作を行うことなく、必要なときにのみにドア錠の施解錠を行うことができる。
【０００７】
ところで、前述の二つの技術を組み合わせて住宅システムに適用すると、以下のように玄関の扉を施解錠することができる。ここで、所定領域Ａは住宅内の全域であり、所定領域Ｂは玄関の外側付近であるとする。まず、外来者が住宅内に居る住人を呼び出すために、ドアホンが設置されている玄関付近の所定領域Ｂへ向かう。所定領域Ｂに居る外来者がドアホンを操作して呼び出しを行うと、住人に対して呼び出しが行われる。所定領域Ａ内に居る住人が呼び出しに対して応答し、所定領域Ｂ内に居る外来者を確認して玄関の扉を解錠しても良いと判断した場合、住人は携帯機にて玄関の扉の解錠操作を行う。解錠操作が行われると、所定領域Ａ内を検出する赤外線センサが住人を検出し、所定領域Ｂ内を検出する赤外線センサが外来者を検出するので、施解錠装置は玄関の扉を解錠する。すると、外来者は、玄関の扉を開けて住宅内に入ることができる。外来者が玄関の外側から玄関の内側に移動すると、外来者が所定領域Ｂから出ることになる。外来者が所定領域Ｂから出ると、赤外線センサは、所定領域Ｂ内の外来者を検出しなくなる。その状態で、玄関の内側に移動した外来者が玄関の扉を閉めると、施解錠装置は玄関の扉を施錠する。
【０００８】
しかしながら、上述した技術では、住宅を訪れた外来者が複数人である場合に、所定領域Ｂに居た外来者が住宅内に入り、住宅内に入っていない他の外来者が所定領域Ｂに居ない状態で玄関の扉が閉まってしまうと、施解錠装置は玄関の扉を施錠してしまうため、そのままでは他の外来者が住宅内に入ることができないケースが生じてしまうという問題があった。
【先行技術文献】
【特許文献】
【０００９】
【特許文献１】特開２００７−３０３０６０号公報
【発明の概要】
【発明が解決しようとする課題】
【００１０】
本発明は、このような問題を解決するために成されたものであり、住人が玄関の扉を遠隔操作にて解錠した際に、住宅を訪れた外来者全員が住宅内に入ってから玄関の扉を施錠することができるようにすることを目的とする。
【課題を解決するための手段】
【００１１】
上述した課題を解決するために、本発明の住宅システムでは、玄関の扉を解錠させるために操作される操作装置にて外来者の人数が入力された場合に、玄関の扉を解錠するとともに玄関から住宅内に入った人の数を検出する。そして、入力された外来者の人数と検出した人の数とが一致し、かつ玄関の扉が閉まっていれば、玄関の扉を施錠するようにしている。
【発明の効果】
【００１２】
上記のように構成した本発明では、操作装置にて入力された外来者の人数と玄関から住宅内に入った人の数とが一致するまで玄関の扉が解錠されたままとなる。これにより、住宅を訪れた外来者が複数人であっても、外来者全員が住宅内に入り玄関の扉を閉じるまで玄関の扉が施錠されなくなるので、住宅内に入ることができない外来者が存在しなくなる。従って、住人が玄関の扉を遠隔操作にて解錠した際に、住宅を訪れた外来者全員が住宅内に入ってから玄関の扉を施錠することができる。そのため、住人が操作装置を何度も操作することなく、解錠を行うことができる。
【図面の簡単な説明】
【００１３】
【図１】本実施形態による住宅システムの構成例を示すブロック図である。
【図２】本実施形態による住宅システムの各構成要素を設置した住宅の例を示す説明図である。
【図３】本実施形態による住宅システムの動作を示すフローチャートである。
【発明を実施するための形態】
【００１４】
以下、本発明の一実施形態を図面に基づいて説明する。本実施形態による住宅システムの構成例を示すブロック図を図１に示す。同図に示すように、本実施形態による住宅システムは、玄関装置１０、操作装置２０、制御装置３０、人数検出装置４０を備えて構成されている。
【００１５】
また、玄関装置１０は、制御部１１、呼出操作部１２、インターフェース（以下、Ｉ／Ｆとする）部１３、通話部１４、施錠装置１５、開閉検出装置１６を備えて構成されている。また、操作装置２０は、操作装置用制御部２１、操作装置用インターフェース（以下、Ｉ／Ｆとする）部２２、操作装置用通話部２３、入力部２４を備えて構成されている。
【００１６】
図１において、玄関装置１０は、住宅の玄関の扉および玄関の近くに設置されており、外来者が住人を呼び出したり、呼び出された住人からの応答を出力したり、玄関の扉に対して施解錠したり、玄関の扉が開いているか閉まっているかを検出したりするためのものである。ここで、玄関装置１０は、制御装置３０に伝送線を介して接続されている。また、玄関装置１０の施錠装置１５により玄関の扉が施錠されている状態では、外来者は、玄関の扉を開けることができず、住宅内に入ることができない。一方、玄関装置１０の施錠装置１５により玄関の扉が解錠されている状態では、外来者は、玄関の扉を開けることができ、住宅内に入ることができる。
【００１７】
操作装置２０は、住宅内に居る住人により携行されており、外来者からの呼び出しに対して住人が応答したり、住人が玄関の扉に対して解錠を行ったりするためのものである。ここで、操作装置２０は、制御装置３０に無線を介して接続されている。
【００１８】
制御装置３０は、住宅の壁の裏側や住宅の天井裏などに設置されており、操作装置２０の操作により玄関装置１０の施錠装置１５や開閉検出装置１６、人数検出装置４０の動作を制御するためのものである。ここで、制御装置２０は、人数検出装置４０に伝送線を介して接続されている。
【００１９】
人数検出装置４０は、住宅の玄関の近くに設置されており、玄関の扉に対して解錠が行われると動作を開始し、玄関から住宅内に入った人を検出する。また、人数検出装置４０は、動作開始時に、初期値（例えば、０人など）を設定し、玄関から住宅内に入った人を検出すると、検出した結果に基づいて玄関から住宅内に入った人の数を初期値からカウントアップする。そして、人数検出装置４０は、カウントした人の数の合計を在室人数情報として出力する。ここで、人数検出装置４０は、玄関から住宅内に入った人を検出する度に、玄関から住宅内に入った人の数をカウントし、カウントした人の数の合計を在室人数情報として出力する。また、人数検出装置４０は、周知の赤外線センサなどのセンサを使用する。また、人数検出装置４０は、制御装置３０に伝送線を介して接続されている。
【００２０】
なお、本実施形態では、人数検出装置４０は、赤外線センサを使用しているが、これに限定されない。例えば、人数検出装置４０は、荷重を検出するシート状センサを使用しても良い。また、シート状センサを使用する場合には、人数検出装置４０は、検出した荷重を検出して、検出した荷重を解析して玄関から住宅内に入った人の数をカウントするようにしている。
【００２１】
図２は、本実施形態による住宅システムの各構成要素を設置した住宅の例を示す図である。同図に示すように、住宅は、玄関扉Ｄおよび人数検出装置４０を内部に設置している。また、操作装置２０は、住宅内に居る住人により携行されている。また、住宅の外側の玄関扉Ｄの近くには、呼出操作部１２、通話部１４を設置している。ここで、玄関扉Ｄは、玄関に開閉自在に設置されている。また、人数検出装置４０は、住宅の内側の玄関の近くに設置されている。
【００２２】
次に、このように設置した玄関装置１０、操作装置２０、制御装置３０の各構成要素を説明する。制御部１１は、玄関装置１０の各構成要素を後述するように制御する。呼出操作部１２は、ボタンなどにより構成されており、住宅内に居る住人を呼び出すために操作されるものである。呼出操作部１２が操作されると、制御部１１は、住宅内に居る住人を呼び出すための呼出信号を生成する。Ｉ／Ｆ部１３は、玄関装置１０を制御装置３０に接続しており、制御部１１にて生成された呼出信号を制御装置３０へ出力する。
【００２３】
通話部１４は、制御装置３０を介して玄関装置１０と操作装置２０との間で通話路が形成された場合に使用されるものであり、外来者の声を入力するためのマイクや住人の声を出力するためのスピーカなどにより構成されている。具体的には、玄関装置１０と操作装置２０との間で通話路が形成されると、制御部１１は通話部１４を動作させる。これに伴い、通話部１４は、マイクによる音声の入力およびスピーカによる音声の出力を開始する。また、通話路が切断されると、制御部１１は通話部１４の動作を停止させる。これに伴い、通話部１４は、マイクによる音声の入力およびスピーカによる音声の出力を停止する。
【００２４】
施錠装置１５は、玄関扉Ｄを施解錠するためのものである。ここで、施錠装置１５は、電気錠などにより構成されている。施錠装置１５は、Ｉ／Ｆ部１３が制御装置３０から出力された解錠信号を入力すると、玄関扉Ｄを解錠し、Ｉ／Ｆ部１３が制御装置３０から出力された施錠信号を入力すると、玄関扉Ｄを施錠する。ここで、解錠信号とは、玄関扉Ｄを解錠するための信号である。また、施錠信号とは、玄関扉Ｄを施錠するための信号である。
【００２５】
開閉検出装置１６は、Ｉ／Ｆ部１３が制御装置３０から出力された解錠信号を入力すると動作を開始し、玄関扉Ｄの開閉状態を検出する。また、開閉検出装置１６は、検出した状態を状態情報としてＩ／Ｆ部１３を介して制御装置３０へ出力する。また、開閉検出装置１６は、Ｉ／Ｆ部１３が制御装置３０から出力された施錠信号を入力すると動作を停止する。ここで、開閉検出装置１６は、周知のドアスイッチなどを使用して、玄関扉Ｄの開閉状態を検出する。また、開閉検出装置１６は、Ｉ／Ｆ部１３が解錠信号を入力してからＩ／Ｆ部１３が施錠信号を入力するまでの間（換言すると、玄関扉Ｄが解錠されている間）、制御装置３０へ状態情報を継続して出力する。
【００２６】
操作装置用制御部２１は、操作装置２０の各構成要素を後述するように制御する。操作装置用Ｉ／Ｆ部２２は、操作装置２０を制御装置３０に無線を介して接続しており、制御装置３０から送信された呼出信号を受信する。操作装置用Ｉ／Ｆ部２２が呼出信号を受信すると、操作装置用制御部２１は報知部（図示せず）を動作させて、玄関装置１０からの呼び出しを報知させる。その後、住人により操作装置２０に設けられた応答操作部（図示せず）が操作されると、操作装置用制御部２１は、玄関装置１０と操作装置２０との間で通話路を形成する。玄関装置１０と操作装置２０との間で通話路を形成した後、住人により操作装置２０に設けられた終話操作部（図示せず）が操作されると、操作装置用制御部２１は通話路を切断する。
【００２７】
操作装置用通話部２３は、制御装置３０を介して玄関装置１０と操作装置２０との間で通話路が形成された場合に使用されるものであり、住人の声を入力するためのマイクや外来者の声を出力するためのスピーカなどにより構成されている。具体的には、操作装置２０と玄関装置１０との間で通話路が形成されると、操作装置用制御部２１は操作装置用通話部２３を動作させる。これに伴い、操作装置用通話部２３は、マイクによる音声の入力およびスピーカによる音声の出力を開始する。また、通話路が切断されると、操作装置用制御部２１は操作装置用通話部２３の動作を停止させる。これに伴い、操作装置用通話部２３は、マイクによる音声の入力およびスピーカによる音声の出力を停止する。なお、操作装置用通話部２３のスピーカと呼び出しを報知するためのスピーカとが共通のものであっても良い。
【００２８】
入力部２４は、テンキーなどにより構成されており、外来者の人数を示す外来者人数情報を入力するためのものである。ここで、入力部２４では、外来者の人数を示す外来者人数情報がテンキーを使用して入力されることで、玄関扉Ｄを解錠するための操作が行われたことになる。住人が外来者との会話などにより外来者を確認し、玄関扉Ｄを解錠しても良いと考えた場合、住人は、確認した外来者の人数を示す外来者人数情報を入力部２４にて入力する。入力部２４にて外来者人数情報が入力されると、操作装置用制御部２１は、外来者人数情報を含む解錠信号を生成する。操作装置用Ｉ／Ｆ部２２は、操作装置用制御部２１にて生成された解錠信号を制御装置３０へ送信する。ここで、住人が入力部２４により入力する外来者人数情報は、住人が事前に入手した外来者の予定や、操作装置用通話部２３による会話によって判断される。
【００２９】
制御装置３０は、玄関装置１０から出力された呼出信号を入力した場合に、操作装置２０へ呼出信号を送信する。また、制御装置３０は、操作装置２０から送信された解錠信号を受信した場合に、解錠信号に含まれる外来者人数情報を取得するとともに、玄関装置１０へ解錠信号を出力する。それに併せて、制御装置３０は人数検出装置４０を動作させる。その後、制御装置３０は、人数検出装置４０から出力された在室人数情報を入力するとともに、玄関装置１０の開閉検出装置１６から出力された状態情報を入力する。また、制御装置３０は、取得した外来者人数情報と人数検出装置４０から出力された在室人数情報とが一致したか否かを判定する。外来者人数情報と在室人数情報とが一致していないと制御装置３０にて判断した場合に、制御装置３０は施錠信号を生成しない。この状態では、外来者全員が住宅内に入っていないと判断されるので、玄関扉Ｄが閉まっても、玄関装置１０の施錠装置１５は玄関扉Ｄを施錠しない。そのため、住宅の外側に居る外来者は、玄関扉Ｄを開けて住宅内に入ることができる。ここで、制御装置３０は、人数検出装置４０から出力された在室人数情報を入力する度にこの判定処理を実行し、外来者人数情報と在室人数情報とが一致するまで、この判定処理を継続して実行する。
【００３０】
一方、外来者人数情報と在室人数情報とが一致したと制御装置３０にて判断した場合に、制御装置３０は、入力した状態情報に対応する玄関扉Ｄの開閉状態が閉まっている状態であるか否かを判定する。玄関扉Ｄの開閉状態が閉まっている状態ではないと制御装置３０にて判断した場合に、制御装置３０は施錠信号を生成しない。一方、玄関扉Ｄの開閉状態が閉まっている状態であると制御装置３０にて判断した場合に、制御装置３０は、施錠信号を生成して玄関装置１０へ出力するとともに、人数検出装置４０の動作を停止させる。この状態では、外来者全員が住宅内に入ってから玄関扉Ｄが閉まったと判断されるので、玄関装置１０の施錠装置１５は玄関扉Ｄを施錠する。
【００３１】
ここで、本実施形態による住宅システムにおいて、図２に示す例に基づいて、外来者の人数を入力した際の処理および外来者が住宅内に入った際の処理を説明する。また、この例では、外来者の人数を３人としており、一人目の外来者と二人の外来者とが連続して住宅内に入り、二人目の外来者が住宅内に入ってからしばらく経って三人目の外来者が住宅内に入るとしている。
【００３２】
まず、住宅を訪れた外来者の中の一人が玄関装置１０の呼出操作部１２を操作して住人を呼び出す。呼び出しを受けた住人が操作装置２０の応答操作部を操作して呼び出しに応答すると、操作装置用制御部２１は、玄関装置１０と操作装置２０との間で通話路を形成して操作装置用通話部２３を動作させる。また、玄関装置１０の制御部１１は通話部１４を動作させる。住人が外来者との会話などにより外来者とその人数（３人）を確認し、玄関扉Ｄを解錠しても良い判断した場合、住人は、操作装置２０の入力部２４にて外来者人数情報（３）を入力する。入力部２４にて外来者人数情報が入力されると、操作装置用制御部２１は、外来者人数情報を含む解錠信号を生成する。そして、操作装置用Ｉ／Ｆ部２２は、操作装置用制御部２１にて生成された解錠信号を制御装置３０へ送信する。
【００３３】
操作装置２０から送信された解錠信号を受信した制御装置３０は、解錠信号に含まれる外来者人数情報（３）を取得するとともに、玄関装置１０へ解錠信号を出力する。それに併せて、制御装置３０は人数検出装置４０を動作させる。
【００３４】
玄関装置１０のＩ／Ｆ部１３が制御装置３０から送信された解錠信号を入力すると、玄関装置１０の施錠装置１５は玄関扉Ｄを解錠するとともに、玄関装置１０の開閉検出装置１６は、玄関扉Ｄの開閉状態の検出を開始する。また、開閉検出装置１６は、検出した状態を状態情報として制御装置３０へ出力する。
【００３５】
人数検出装置４０は、玄関から住宅内に入った人の検出を開始する。この時点での在室人数情報の初期値は０である。この状態で、外来者の一人が玄関扉Ｄを開くと、開閉検出装置１６は、玄関扉Ｄが開いたことを検出して、検出した状態（玄関扉Ｄが開いていること）を状態情報として制御装置３０へ出力する。さらに、外来者の一人が玄関を通り住宅内に入ると、人数検出装置４０は、玄関から住宅内に入った人を検出して、検出した結果に基づいて初期値（０）からカウントアップする。人数検出装置４０は、カウントした数の合計を在室人数情報（１）として制御装置３０へ出力する。
【００３６】
制御装置３０は、開閉検出装置１６から出力された状態情報を入力するとともに、人数検出装置４０から出力された在室人数情報を入力する。制御装置３０は、外来者人数情報（３）と人数検出装置４０から出力された在室人数情報（１）とが一致していないと判断し、判定処理を継続する。この例では、一人目の外来者が住宅内に入ってから連続して二人目の外来者が住宅内に入るので、一人目の外来者は住宅内に入った際に玄関扉Ｄを閉めなかったものとしている。
【００３７】
その後、二人目の外来者が玄関を通り住宅内に入ると、人数検出装置４０は、玄関から住宅内に入った人を検出して、検出した結果に基づいてカウントアップする。人数検出装置４０は、カウントした数の合計を在室人数情報（２）として制御装置３０へ出力する。ここで、二人目の外来者が住宅内に入っても三人目の外来者が玄関から離れているため、二人目の外来者は玄関扉Ｄを閉めたものとする。住宅内に入った二人目の外来者が玄関扉Ｄを閉めると、開閉検出装置１６は、玄関扉Ｄが閉まったことを検出して、検出した状態（玄関扉Ｄが閉まっていること）を状態情報として制御装置３０へ出力する。制御装置３０は、前述の判定処理を実行した結果、外来者人数情報（３）と在室人数情報（２）とが一致していないと判断し、判定処理を継続する。
【００３８】
その後、三人目の外来者が玄関扉Ｄを開くと、開閉検出装置１６は、玄関扉Ｄが開いたことを検出して、検出した状態（玄関扉Ｄが開いていること）を状態情報として制御装置３０へ出力する。さらに、三人目の外来者が玄関を通り住宅内に入ると、人数検出装置４０は、玄関から住宅内に入った人を検出して、検出した結果に基づいてカウントアップする。人数検出装置４０は、カウントした数の合計を在室人数情報（３）として制御装置３０へ出力する。制御装置３０は、前述の判定処理を実行した結果、外来者人数情報（３）と在室人数情報（３）とが一致したと判断する。住宅内に入った三人目の外来者が玄関扉Ｄを閉めると、開閉検出装置１６は、玄関扉Ｄが閉まったことを検出して、検出した状態（玄関扉Ｄが閉まっていること）を状態情報として制御装置３０へ出力する。制御装置３０は、開閉検出装置１６から出力された状態情報に対応する玄関扉Ｄの開閉状態が閉まっている状態であると判断する。この判断により、制御装置３０は、施錠信号を生成して玄関装置１０へ出力するとともに、人数検出装置４０の動作を停止させる。
【００３９】
そして、玄関装置１０のＩ／Ｆ部１３が制御装置３０から送信された施錠信号を入力すると、玄関装置１０の施錠装置１５は玄関扉Ｄを施錠するとともに、玄関装置１０の開閉検出装置１６は玄関扉Ｄの開閉状態の検出を停止する。
【００４０】
次に、本実施形態による住宅システムの動作を説明する。図３は、本実施形態による住宅システムの動作を示すフローチャートである。まず、玄関装置１０において、制御部１１は、呼出操作が行われたか否かを判定する（ステップＳ１）。呼出操作が行われていないと制御部１１にて判断した場合には（ステップＳ１にてＮＯ）、ステップＳ１の処理を繰り返す。一方、呼出操作が行われたと制御部１１にて判断した場合には（ステップＳ１にてＹＥＳ）、制御部１１は呼出信号を生成して、Ｉ／Ｆ部１３は制御部１１にて生成した呼出信号を制御装置３０へ出力する（ステップＳ２）。
【００４１】
また、制御装置３０では、玄関装置１０から出力された呼出信号を入力したか否かを制御装置３０にて判定する（ステップＳ３）。呼出信号を入力していないと制御装置３０にて判断した場合には（ステップＳ３にてＮＯ）、ステップＳ３の処理を繰り返す。一方、呼出信号を入力したと制御装置３０にて判断した場合には（ステップＳ３にてＹＥＳ）、制御装置３０は、操作装置２０へ呼出信号を送信する（ステップＳ４）。
【００４２】
また、操作装置２０では、操作装置用Ｉ／Ｆ部２２が制御装置３０から送信された呼出信号を受信したか否かを操作装置用制御部２１にて判定する（ステップＳ５）。呼出信号を受信していないと操作装置用制御部２１にて判断した場合には（ステップＳ５にてＮＯ）、ステップＳ５の処理を繰り返す。一方、呼出信号を受信したと操作装置用制御部２１にて判断した場合には（ステップＳ５にてＹＥＳ）、操作装置用制御部２１は、入力部２４にて外来者人数情報が入力されたか否かを判定する（ステップＳ６）。外来者人数情報が入力されていないと操作装置用制御部２１にて判断した場合には（ステップＳ６にてＮＯ）、ステップＳ５の処理に戻る。一方、外来者人数情報が入力されたと操作装置用制御部２１にて判断した場合には（ステップＳ６にてＹＥＳ）、操作装置用制御部２１は、入力された外来者人数情報を含む解錠信号を生成し、操作装置用Ｉ／Ｆ部２２は操作装置用制御部２１にて生成した解錠信号を制御装置３０へ送信して（ステップＳ７）、ステップＳ５の処理に戻る。
【００４３】
次に、再び制御装置３０の動作を説明する。操作装置２０へ呼出信号を送信した際に、制御装置３０は、操作装置２０から送信された解錠信号を受信したか否かを判定する（ステップＳ８）。解錠信号を受信していないと制御装置３０にて判断した場合には（ステップＳ８にてＮＯ）、ステップＳ３の処理に戻る。一方、解錠信号を受信したと制御装置３０にて判断した場合には（ステップＳ８にてＹＥＳ）、制御装置３０は、解錠信号に含まれる外来者人数情報を取得するとともに、玄関装置１０へ解錠信号を出力する。それに併せて、制御装置３０は人数検出装置４０を動作させる（ステップＳ９）。人数検出装置４０は、玄関から住宅内に入った人を検出し、検出した結果に基づいて初期値からカウントアップする。そして、人数検出装置４０は、カウントした数の合計を在室人数情報として出力する。
【００４４】
次に、再び玄関装置１０の動作を説明する。制御装置３０へ呼出信号を出力した際に、制御部１１は、Ｉ／Ｆ部１３が制御装置３０から出力された解錠信号を入力したか否かを判定する（ステップＳ１０）。解錠信号を入力していないと制御部１１にて判断した場合には（ステップＳ１０にてＮＯ）、制御部１１は、呼出操作が行われたか否かを判定する（ステップＳ１１）。呼出操作が行われていないと制御部１１にて判断した場合には（ステップＳ１１にてＮＯ）、ステップＳ１０の処理に戻る。一方、呼出操作が行われたと制御部１１にて判断した場合には（ステップＳ１１にてＹＥＳ）、制御部１１は呼出信号を生成して、Ｉ／Ｆ部１３は制御部１１にて生成した呼出信号を制御装置３０へ出力（ステップＳ１２）し、ステップＳ１０の処理に戻る。
【００４５】
また、解錠信号を入力したと制御部１１にて判断した場合には（ステップＳ１０にてＹＥＳ）、施錠装置１５は玄関扉Ｄを解錠する（ステップＳ１３）。また、開閉検出装置１６は、玄関扉Ｄの開閉状態を検出し、検出した状態を状態情報としてＩ／Ｆ部１３を介して制御装置３０へ出力する（ステップＳ１４）。
【００４６】
次に、再び制御装置３０の動作を説明する。玄関装置１０へ解錠信号を出力した際に、制御装置３０は、人数検出装置４０から出力された在室人数情報を入力したか否かを判定する（ステップＳ１５）。在室人数情報を入力していないと制御装置３０にて判断した場合には（ステップＳ１５にてＮＯ）、ステップＳ１５の処理を繰り返す。一方、在室人数情報を入力したと制御装置３０にて判断した場合には（ステップＳ１５にてＹＥＳ）、制御装置３０は、取得した外来者人数情報と入力した在室人数情報とが一致したか否かを判定する（ステップＳ１６）。外来者人数情報と在室人数情報とが一致していないと制御装置３０にて判断した場合には（ステップＳ１６にてＮＯ）、ステップＳ１５の処理に戻る。一方、外来者人数情報と在室人数情報とが一致したと制御装置３０にて判断した場合には（ステップＳ１６にてＹＥＳ）、制御装置３０は、玄関装置１０から出力された状態情報を入力したか否かを判定する（ステップＳ１７）。状態情報を入力していないと制御装置３０にて判断した場合には（ステップＳ１７にてＮＯ）、ステップＳ１７の処理を繰り返す。
【００４７】
一方、状態情報を入力したと制御装置３０にて判断した場合には（ステップＳ１７にてＹＥＳ）、制御装置３０は、玄関扉Ｄが閉まっている状態であるか否かを判定する（ステップＳ１８）。玄関扉Ｄが閉まっている状態ではないと制御装置３０にて判断した場合には（ステップＳ１８にてＮＯ）、ステップＳ１７の処理に戻る。一方、玄関扉Ｄが閉まっている状態であると制御装置３０にて判断した場合には（ステップＳ１８にてＹＥＳ）、制御装置３０は、施錠信号を生成して玄関装置１０へ出力するとともに、人数検出装置４０の動作を停止させて（ステップＳ１９）、ステップＳ３の処理に戻る。
【００４８】
次に、再び玄関装置１０の動作を説明する。制御装置３０へ状態情報を出力した際に、制御部１１は、Ｉ／Ｆ部１３が制御装置３０から出力された施錠信号を入力したか否かを判定する（ステップＳ２０）。施錠信号を入力していないと制御部１１にて判断した場合には（ステップＳ２０にてＮＯ）、ステップＳ１４の処理に戻る。一方、施錠信号を入力したと制御装置３０にて判断した場合には（ステップＳ２０にてＹＥＳ）、施錠装置１５は玄関扉Ｄを施錠するとともに、開閉検出装置１６は玄関扉Ｄの開閉状態の検出を停止し（ステップＳ２１）、ステップＳ１の処理に戻る。
【００４９】
以上、詳しく説明したように、本実施形態の住宅システムでは、住人が携行している操作装置２０を使用して確認した住宅に訪れた外来者の人数を示す外来者人数情報を操作装置２０の入力部２４にて入力すると、操作装置２０は、外来者人数情報を含む解錠信号を生成して制御装置３０へ送信する。制御装置３０は、操作装置２０から送信された解錠信号を受信した場合に、解錠信号に含まれる外来者人数情報を取得するとともに、玄関装置１０へ解錠信号を出力する。それに併せて、制御装置４０は人数検出装置４０を動作させる。玄関装置１０が解錠信号を入力すると、施錠装置１５は玄関扉Ｄを解錠するとともに、開閉検出装置１６は玄関扉Ｄの開閉状態を検出し、検出した状態を状態情報として制御装置３０へ出力する。また、人数検出装置４０は、玄関から住宅内に入った人の数を検出し、検出した人の数を在室人数情報として制御装置３０へ出力する。解錠信号に含まれる外来者人数情報と人数検出装置４０から出力された在室人数情報とが一致し、かつ開閉検出装置１６から出力された状態情報に対応する玄関扉Ｄの開閉状態が閉まっている状態であると判断した場合に、制御装置３０は施錠信号を玄関装置１０へ出力する。そして、玄関装置１０が施錠信号を入力すると、施錠装置１５は玄関扉Ｄを施錠している。
【００５０】
これにより、操作装置２０にて入力され、住人が操作装置２０を使用して確認した外来者の人数と玄関から住宅内に入った人の数とが一致するまで玄関扉Ｄが解錠されたままとなる。このことから、住宅を訪れた外来者が複数人であっても、外来者全員が住宅内に入り玄関扉Ｄを閉じるまで玄関扉Ｄが施錠されなくなるので、住宅内に入ることができない外来者が存在しなくなる。従って、住人が玄関扉Ｄを遠隔操作にて解錠した際に、住宅を訪れた外来者全員が住宅内に入ってから玄関扉Ｄを施錠することができる。そのため、住人が操作装置を何度も操作することなく、解錠を行うことができる。
【００５１】
なお、前述した実施形態では、操作装置２０は、制御装置３０に無線を介して接続されているが、これに限定されない。例えば、操作装置２０が制御装置３０に伝送線を介して接続されるようにしても良い。その場合、住宅内の寝室や台所などに操作装置２０を設置し、設置された操作装置２０を住人が使用して、外来者からの呼び出しに対して応答したり、玄関の扉に対して解錠を行ったりするようにする。
【００５２】
また、前述した実施形態では、入力部２４には、外来者人数情報を入力するためのテンキーが設けられ、そのテンキーを使用して外来者人数情報を入力しているが、これに限定されない。例えば、入力部２４に一つのボタンを設け、住人がそのボタンを外来者の人数と同じ回数だけ押下して外来者人数情報を入力するようにしても良い。
【００５３】
また、前述した実施形態では、操作装置用通話部２３を操作装置２０に設け、呼出操作部１２、通話部１４を玄関装置１０に設けることで、玄関付近に居る外来者と住宅内に居る住人とが通話するための通話手段を住宅システムに備えているが、これに限定されない。住宅システムは、通話手段を備えなくても良い。
【００５４】
また、前述した実施形態では、操作装置用通話部２３を操作装置２０に設け、呼出操作部１２、通話部１４を玄関装置１０に設けることで、玄関付近に居る外来者と住宅内に居る住人とが通話するための通話手段を住宅システムに備えているが、これに限定されない。例えば、カメラなどの撮影装置を玄関装置１０に設け、その撮影装置にて撮影された画像を出力するためのディスプレイなどの表示部を操作装置２０に設けることで、住宅内に居る住人が玄関付近に居る外来者を確認するようにしても良い。
【００５５】
また、前述した実施形態では、人数検出装置４０は、玄関から住宅内に入った人を検出すると、検出した結果に基づいて玄関から住宅内に入った人の数をカウントする処理を実行しているが、これに限定されない。例えば、人数検出装置４０が玄関から住宅内に入った人を検出すると、制御装置３０がその数をカウントするようにしても良い。
【００５６】
その他、住宅システムの構成、処理手順、内容等についても、この発明の要旨を逸脱しない範囲で種々変形して実施することができる。また、上記実施形態に開示されている複数の構成要素の組み合わせにより種々の発明を形成することができる。例えば、実施形態に示される全構成要素からいくつかの構成要素を削除するようにしても良い。さらに、異なる実施形態に亘る構成要素を適宜組み合わせるようにしても良い。
【符号の説明】
【００５７】
１０    玄関装置
１１    制御部
１２    呼出操作部
１３    インターフェース（Ｉ／Ｆ）部
１４    通話部
１５    施錠装置
１６    開閉検出装置
２０    操作装置
２１    操作装置用制御部
２２    操作装置用インターフェース（Ｉ／Ｆ）部
２３    操作装置用通話部
２４    入力部
３０    制御装置
４０    人数検出装置
Ｄ    玄関扉
【図１】
2011052390.tif 000003
【図２】
2011052390.tif 000004
【図３】
2011052390.tif 000005